(57)【特許請求の範囲】
【請求項１】
同一の番組について固定型の受信装置に対して送信された高画質の第１のデジタル放送データおよび移動型の受信装置に対して送信された低画質の第２のデジタル放送データを受信し固定型の受信装置向けの第１の番組データおよび移動型の受信装置向けの第２の番組データを復調する復調手段と、
この復調手段によって復調された第１の番組データおよび第２の番組データを記録媒体に記録する記録制御手段と、
移動型の受信装置が接続されたことを検出する接続検出手段と、
この接続検出手段によって前記移動型の受信装置の接続が検出されたときに前記記録媒体に記録されている前記第２の番組データを前記移動型の受信装置に自動的に転送する転送手段と、
前記記録媒体に記録されている前記第１の番組データを再生する再生手段と、
この再生手段によって前記第１の番組データが再生されたことを検出して前記第１の番組データが再生済みである旨の情報を記憶する再生済み情報記憶手段と、
前記接続検出手段によって前記移動型の受信装置が接続されたことが検出された際に前記再生済み情報記憶手段に前記第１の番組データの再生済みの情報が記憶されていた場合には、前記再生された第１の番組データと同一の番組の第２の番組データの転送を前記移動型の受信装置に要求する要求手段と、
この要求手段による要求に応答して前記移動型の受信装置から転送されてくる前記第２の番組データを前記記録媒体に再記録する再記録手段と
を備えたことを特徴とする番組録画装置。
【請求項２】
前記転送手段によって前記第２の番組データを前記移動型の受信装置に転送すると前記記録媒体に記憶されていた前記第２の番組データを削除することを特徴とする請求項１に記載の番組録画装置。
【請求項３】
更に、前記記録媒体から前記第１の番組データを削除する第１の番組データの削除手段と、
この第１の番組データ削除手段による削除がなされていた場合には前記第１の番組データと同一の番組の第２の番組データの削除指令を前記移動型の受信装置に対して送信する削除指令送信手段と、
前記移動型の受信装置から前記転送手段によって転送した前記第２の番組データを削除した旨の通知を受信したときは、この削除された第２の番組データと同一の番組の前記記録媒体に記録されている第１の番組データを前記記録媒体から削除する第１の番組データの削除手段とを備えたことを特徴とする請求項１に記載の番組録画装置。
【請求項４】
更に、前記記録媒体に記録されている第１の番組データに対する削除を禁止する情報を記憶する削除禁止情報記憶手段と、
この削除禁止情報記憶手段に前記第１の番組データの削除を禁止する情報が記憶されている場合には、前記移動型の受信装置から前記第２の番組データを削除した旨の通知を受信しても前記第１の番組データ削除手段による前記第１の番組データの削除を禁止する削除禁止手段とを備えたことを特徴とする請求項３に記載の番組録画装置。
【請求項５】
更に、前記転送手段によって前記記録媒体に記録されている第１の番組データと同一の番組の第２の番組データが前記移動型の受信装置に転送されている場合には、前記第２の番組データが転送済みである旨の情報を記憶する転送管理手段を備えたことを特徴とする請求項１に記載の番組録画装置。
【請求項６】
前記第１のデジタル放送データは、所定の周波数帯域を１３個のセグメントに分割して送信された中の複数のセグメントのデータで構成され、第２のデジタル放送データは、１つのセグメントで構成されることを特徴とする請求項１に記載の番組録画装置。
【請求項７】
前記第１のデジタル放送データおよび第２のデジタル放送データは、異なる周波数帯域のデータで構成されることを特徴とする請求項１に記載の番組録画装置。
【請求項８】
同一の番組について固定型の受信装置に対して送信された高画質の第１のデジタル放送データおよび移動型の受信装置に対して送信された低画質の第２のデジタル放送データを受信し固定型の受信装置向けの第１の番組データおよび移動型の受信装置向けの第２の番組データを記録する番組録画装置から前記移動型の受信装置向けの第２の番組データを受信する移動型の受信装置であって、
前記番組録画装置と接続したことを検出する接続検出手段と、
この接続検出手段によって前記接続が検出された際に前記番組録画装置から自動的に転送される前記第２の番組データを受信する受信手段と、
この受信手段によって受信された前記第２の番組データを記録媒体に記録する記録制御手段と、
再生指令が入力されたときは前記記録媒体に記録されている第２の番組データを再生する再生制御手段と、
前記番組録画装置から前記記録媒体に記録されている第２の番組データの転送依頼を受信する転送依頼受信手段と、
この転送依頼受信手段で前記転送依頼を受信したことに応答して前記記録媒体に記録された前記第２の番組データを前記番組録画装置に送信する送信手段と、
この送信手段によって前記第２の番組データを前記番組録画装置に送信した後前記記録媒体に記録されていた前記第２の番組データを削除する削除手段とを備え、
前記送信手段は、前記再生制御手段によって再生が終了した第２の番組データを前記番組録画装置に対して返送することを特徴とする移動型の受信装置。
【請求項９】
同一の番組について固定型の受信装置に対して送信された高画質の第１のデジタル放送データおよび移動型の受信装置に対して送信された低画質の第２のデジタル放送データを受信し固定型の受信装置向けの第１の番組データおよび移動型の受信装置向けの第２の番組データを記録する番組録画装置から前記移動型の受信装置向けの第２の番組データを受信する移動型の受信装置であって、
前記番組録画装置と接続したことを検出する接続検出手段と、
この接続検出手段によって前記接続が検出された際に前記番組録画装置から自動的に転送される前記第２の番組データを受信する受信手段と、
この受信手段によって受信された前記第２の番組データを記録媒体に記録する記録制御手段と、
再生指令が入力されたときは前記記録媒体に記録されている第２の番組データを再生する再生制御手段と、
前記番組録画装置から前記記録媒体に記録されている第２の番組データの転送依頼を受信する転送依頼受信手段と、
この転送依頼受信手段で前記転送依頼を受信したことに応答して前記記録媒体に記録された前記第２の番組データを前記番組録画装置に送信する送信手段と、
この送信手段によって前記第２の番組データを前記番組録画装置に送信した後前記記録媒体に記録されていた前記第２の番組データを削除する削除手段と、
この削除手段によって前記第２の番組データが削除された時には前記第２の番組データの削除通知を前記番組録画装置に対して送信することを特徴とする移動型の受信装置。
【請求項１０】
更に、前記記録媒体に記録されている第２の番組データに対する削除指令を入力する削除指令入力手段と、
前記記録媒体に記録されている第２の番組データに対する削除を禁止する情報を記憶する削除禁止情報記憶手段と、
この削除禁止情報記憶手段に前記第２の番組データの削除を禁止する情報が記憶されている際には、前記番組録画装置から前記第２の番組データの削除指令を受信した場合及び前記削除指令入力手段から削除指令が入力された場合のいずれにおいても前記第２の番組データを削除しないことを特徴とする請求項９に記載の移動型の受信装置。
【請求項１１】
番組録画装置と移動型の受信装置との間で通信を行ってデジタル放送の番組データを管理するデータ管理方法であって、
前記番組録画装置は、同一の番組について固定型の受信装置に対して送信された高画質の第１のデジタル放送データおよび移動型の受信装置に対して送信された低画質の第２のデジタル放送データを受信して固定型の受信装置向けの第１の番組データおよび移動型の受信装置向けの第２の番組データを記録し、移動型の受信装置が接続されたときは、記録した第２の番組データを前記移動型の受信装置に自動的に転送すると共に記録した第２の番組データを削除し、また、前記転送した第２の番組データと同一の番組の第１の番組データの再生終了および削除の管理情報を前記移動型の受信装置に送信し、更に、転送した第２の番組データと同一の番組の第１の番組データの再生終了の管理情報の送信に応答して前記移動型の受信装置から送られてくる前記第２の番組データを記録し、
前記移動型の受信装置は、前記番組録画装置から転送された前記第２の番組データを記録し、前記番組記録装置から記録した前記第２の番組データと同一の番組の第１の番組データの再生終了の管理情報が送信されてきた場合には記録した前記第２の番組データを前記番組装置に送信し、記録した第２の番組データの再生終了および削除の管理情報を当該番組録画装置に送信することを特徴とするデータ管理方法。
【発明の詳細な説明】
【技術分野】
【０００１】
本発明は、番組録画装置、移動型の受信装置、およびデータ管理方法に関し、特に、同一の番組について固定型の受信装置および移動型の受信装置に対して送信されたデジタル放送データを受信して、それぞれの番組データを処理する番組録画装置、移動型の受信装置、およびデータ管理方法に関するものである。
【背景技術】
【０００２】
放送衛星および通信衛星を利用して既に放送が開始されているＢＳ放送およびＣＳ放送の他に、地上波デジタル放送が２００３年１２月から一部の地域で放送が開始され、２０１１年には従来のすべてのアナログ地上波放送がデジタル放送に切り替わる。この地上波デジタル放送では、ＯＦＤＭ（直交周波数分割多重）方式によって、映像情報、音声情報、および文字情報の複数種類の情報をＭＰＥＧ−２システムのトランスポート・ストリームで多重化して、約６ＭＨｚの帯域を１３セグメントに分割して伝送する。すなわち、約４２９ｋＨｚの帯域幅を１個のセグメントとして構成し、１３個のセグメントを組み合わせた約６ＭＨｚを使用する。この１３セグメントの中から１０セグメントから１３セグメントを用いて表示画面が大きい固定型の受信装置向けの高精細・高画質のＨＤＴＶ（ハイビジョンテレビ放送）を送信し、３セグメントを用いて表示画面が中以上の固定型の受信装置向けの通常のＳＤＴＶ（標準テレビ放送）を送信する。さらに、携帯電話装置、ＰＤＡ（Personal Digital Assistants）、カーナビゲーション装置などの表示画面が小さい移動型の受信装置向けに１セグメントを用いた簡易動画放送が予定されている。
【０００３】
したがって、同じ番組について、１３セグメントの地上波デジタル放送を固定型の受信装置で受信すると同時に、１セグメントの地上波デジタル放送を移動型の受信装置で受信することができる。このような固定型および移動型の受信装置に対してデジタル放送を配信するサービスを考慮して、いくつか発明の提案が従来なされている。
【０００４】
ある提案のデジタル放送受信機によれば、ユーザの使用形態に応じて快適なデコード信号を提示可能にする。この提案においては、デジタル放送を受信するチューナ部およびこのチューナ部の信号を復調する復調部とを有するチューナモジュールと、チューナモジュールからの信号を映像処理する処理部、およびこの処理部からの信号を表示する表示部とを有する汎用機器とを接続してデジタル放送を視聴可能とする。この場合、表示部で提示される画面サイズが、設定されたサイズか或いはこれよりも大きい場合には、汎用端末からチューナモジュールに対し１３セグメント放送を受信するように制御し、表示部で提示される画面サイズが、設定されたサイズよりも小さい場合には汎用端末からチューナモジュールに対し１セグメント放送を受信するように制御する。（特許文献１参照）
【０００５】
また、ある提案の情報処理装置によれば、電話機能と放送受信機とを併設して、使用状況に応じて処理を制限し又は自動化することで、限られた電力資源にて最大限の機能を引き出すようになっている。この提案においては、放送信号を受信し復調するチューナ部と、基地局と通信を行うことにより他の移動局と通信を行う移動通信部と、チューナ部と移動通信部とに電源を供給する電池部と、チューナ部が放送信号を受信している時に、移動通信部が基地局からの着信を受けた時、放送信号の受信のための電池部からの電源供給を削減すべく制御する制御部とを具備する構成になっている。例えば、チューナ部への電力供給を停止するか、又は、１３セグメントの放送受信を１セグメントの放送受信に変更する。（特許文献２参照）
【０００６】
また、ある提案の番組録画装置、携帯端末装置によれば、同一チャンネルにおいて異なる帯域を使って行われる各放送の番組を同時に録画できるとともに、複数の装置を同一の録画番組の再生に使用する場合に、その再生を快適に行えるようにする。この提案の構成では、２つのチューナによって１３セグメント（記載では１２セグメント）の放送と１セグメントの放送を受信して、それぞれに対応する２つのＯＦＤＭ復調回路で１３セグメントおよび１セグメントの信号を復調する。復調によって得られた各データが映像記憶部に記憶される。（特許文献３参照）
【特許文献１】特開２００４−２８９７１２号公報
【特許文献２】特開２００５−１０９８２８号公報
【特許文献３】特開２００５−２０４０６４号公報
【発明の開示】
【発明が解決しようとする課題】
【０００７】
携帯電話装置やＰＤＡなどの移動体を受信装置として用いて、１セグメントの地上波デジタル放送を受信した場合には、チューナ部における電力消費のためにバッテリの電圧が低下し、長時間の視聴が困難であるという問題がある。また、受信した番組データを記録するメモリカード等の記録媒体の記録容量に制限があるので、多くの番組データを記録することが困難であるという問題がある。しかしながら、上記特許文献１および特許文献２の構成においては、このような電力消費および記録容量制限の問題を解決することはできない。
【０００８】
この点、上記特許文献３においては、１３セグメントおよび１セグメントの番組データを同時に番組録画装置（固定型の受信装置）に記録するので、電力消費および記録容量の制限の問題は解決する。この場合には、ユーザの操作によって携帯端末装置が選択されたときは、番組録画装置の映像記憶部に記憶されている１セグメントの符号化番組データが復号回路で復号されて、無線（Bluetooth）の伝送経路から携帯端末装置に送信される。しかしながら、特許文献３においては、番組録画装置のスイッチ部によって、番組録画装置の映像記憶部に記憶されている番組データを指定する操作、伝送経路を無線に選択する操作が必要であるので、スイッチ操作が煩雑になるという問題がある。さらに、特許文献３においては、番組録画装置と携帯端末装置とで再生位置情報（Ｉフレームのシリアルナンバ）を共有するために、番組録画装置から携帯端末装置に１セグメントの番組データをコピーして、同一の番組データを両方で保存する必要がある。しかしながら、地上波デジタル放送のみならずＢＳ放送およびＣＳ放送で配信される番組のコンテンツは、そのほとんどが著作権で保護されており、受信して記録（コピー）した番組データは「コピーワンス」の制限を受けているので、その記録した番組データをさらにコピーして複数の装置で同じ番組データを保存することはできない。
【０００９】
本発明は、このような従来の課題を解決するためのものであり、携帯端末装置などの移動型の受信装置における電力消費および記録容量制限の問題を解消するとともに、受信して記録した番組データを移動型の受信装置にスイッチ操作を要することなく転送することを可能とし、さらに、コピーワンスの著作権保護を遵守することを目的とする。
【課題を解決するための手段】
【００１０】
上記の課題を解決するため、本発明による請求項１に記載の番組録画装置は、同一の番組について固定型の受信装置に対して送信された高画質の第１のデジタル放送データおよび移動型の受信装置に対して送信された低画質の第２のデジタル放送データを受信し固定型の受信装置向けの第１の番組データおよび移動型の受信装置向けの第２の番組データを復調する復調手段と、この復調手段によって復調された第１の番組データおよび第２の番組データを記録媒体に記録する記録制御手段と、移動型の受信装置が接続されたことを検出する接続検出手段と、この接続検出手段によって前記移動型の受信装置の接続が検出されたときに前記記録媒体に記録されている前記第２の番組データを前記移動型の受信装置に自動的に転送する転送手段と、前記記録媒体に記録されている前記第１の番組データを再生する再生手段と、この再生手段によって前記第１の番組データが再生されたことを検出して前記第１の番組データが再生済みである旨の情報を記憶する再生済み情報記憶手段と、前記接続検出手段によって前記移動型の受信装置が接続されたことが検出された際に前記再生済み情報記憶手段に前記第１の番組データの再生済みの情報が記憶されていた場合には、前記再生された第１の番組データと同一の番組の第２の番組データの転送を前記移動型の受信装置に要求する要求手段と、この要求手段による要求に応答して前記移動型の受信装置から転送されてくる前記第２の番組データを前記記録媒体に再記録する再記録手段とを備えたことを特徴とする。
【００１１】
請求項２は、前記転送手段によって前記第２の番組データを前記移動型の受信装置に転送すると前記記録媒体に記憶されていた前記第２の番組データを削除することを特徴とする。
【００１２】
請求項３は、更に、前記記録媒体から前記第１の番組データを削除する第１の番組データの削除手段と、この第１の番組データ削除手段による削除がなされていた場合には前記第１の番組データと同一の番組の第２の番組データの削除指令を前記移動型の受信装置に対して送信する削除指令送信手段と、前記移動型の受信装置から前記転送手段によって転送した前記第２の番組データを削除した旨の通知を受信したときは、この削除された第２の番組データと同一の番組の前記記録媒体に記録されている第１の番組データを前記記録媒体から削除する第１の番組データの削除手段とを備えたことを特徴とする。
【００１３】
請求項４は、更に、前記記録媒体に記録されている第１の番組データに対する削除を禁止する情報を記憶する削除禁止情報記憶手段と、この削除禁止情報記憶手段に前記第１の番組データの削除を禁止する情報が記憶されている場合には、前記移動型の受信装置から前記第２の番組データを削除した旨の通知を受信しても前記第１の番組データ削除手段による前記第１の番組データの削除を禁止する削除禁止手段とを備えてことを特徴とする。
【００１４】
請求項５は、更に、前記転送手段によって前記記録媒体に記録されている第１の番組データと同一の番組の第２の番組データが前記移動型の受信装置に転送されている場合には、前記第２の番組データが転送済みである旨の情報を記憶する転送管理手段を備えたことを特徴とし、請求項６は、前記第１のデジタル放送データは、所定の周波数帯域を１３個のセグメントに分割して送信された中の複数のセグメントのデータで構成され、第２のデジタル放送データは、１つのセグメントで構成されることを特徴とする。また請求項７は前記第１のデジタル放送データおよび第２のデジタル放送データは、異なる周波数帯域のデータで構成されることを特徴とする。
【００１５】
請求項８の移動型の受信装置は、同一の番組について固定型の受信装置に対して送信された高画質の第１のデジタル放送データおよび移動型の受信装置に対して送信された低画質の第２のデジタル放送データを受信し固定型の受信装置向けの第１の番組データおよび移動型の受信装置向けの第２の番組データを記録する番組録画装置から前記移動型の受信装置向けの第２の番組データを受信する移動型の受信装置であって、前記番組録画装置と接続したことを検出する接続検出手段と、この接続検出手段によって前記接続が検出された際に前記番組録画装置から自動的に転送される前記第２の番組データを受信する受信手段と、この受信手段によって受信された前記第２の番組データを記録媒体に記録する記録制御手段と、再生指令が入力されたときは前記記録媒体に記録されている第２の番組データを再生する再生制御手段と、前記番組録画装置から前記記録媒体に記録されている第２の番組データの転送依頼を受信する転送依頼受信手段と、この転送依頼受信手段で前記転送依頼を受信したことに応答して前記記録媒体に記録された前記第２の番組データを前記番組録画装置に送信する送信手段と、この送信手段によって前記第２の番組データを前記番組録画装置に送信した後前記記録媒体に記録されていた前記第２の番組データを削除する削除手段とを備え、前記送信手段は、前記再生制御手段によって再生が終了した第２の番組データを前記番組録画装置に対して返送することを特徴とする。
【００１７】
請求項９の移動型の受信装置は、同一の番組について固定型の受信装置に対して送信された高画質の第１のデジタル放送データおよび移動型の受信装置に対して送信された低画質の第２のデジタル放送データを受信し固定型の受信装置向けの第１の番組データおよび移動型の受信装置向けの第２の番組データを記録する番組録画装置から前記移動型の受信装置向けの第２の番組データを受信する移動型の受信装置であって、前記番組録画装置と接続したことを検出する接続検出手段と、この接続検出手段によって前記接続が検出された際に前記番組録画装置から自動的に転送される前記第２の番組データを受信する受信手段と、この受信手段によって受信された前記第２の番組データを記録媒体に記録する記録制御手段と、再生指令が入力されたときは前記記録媒体に記録されている第２の番組データを再生する再生制御手段と、前記番組録画装置から前記記録媒体に記録されている第２の番組データの転送依頼を受信する転送依頼受信手段と、この転送依頼受信手段で前記転送依頼を受信したことに応答して前記記録媒体に記録された前記第２の番組データを前記番組録画装置に送信する送信手段と、この送信手段によって前記第２の番組データを前記番組録画装置に送信した後前記記録媒体に記録されていた前記第２の番組データを削除する削除手段と、この削除手段によって前記第２の番組データが削除された時には前記第２の番組データの削除通知を前記番組録画装置に対して送信することを特徴とする。
【００１８】
請求項１０は、更に、前記記録媒体に記録されている第２の番組データに対する削除指令を入力する削除指令入力手段と、記記録媒体に記録されている第２の番組データに対する削除を禁止する情報を記憶する削除禁止情報記憶手段と、この削除禁止情報記憶手段に前記第２の番組データの削除を禁止する情報が記憶されている際には、前記番組録画装置から前記第２の番組データの削除指令を受信した場合及び前記削除指令入力手段から削除指令が入力された場合のいずれにおいても前記第２の番組データを削除しないことを特徴とする。
【００１９】
請求項１１に記載の番組録画装置と移動型の受信装置との間で通信を行ってデジタル放送の番組データを管理するデータ管理方法においては、前記番組録画装置は、同一の番組について固定型の受信装置に対して送信された高画質の第１のデジタル放送データおよび移動型の受信装置に対して送信された低画質の第２のデジタル放送データを受信して固定型の受信装置向けの第１の番組データおよび移動型の受信装置向けの第２の番組データを記録し、移動型の受信装置が接続されたときは、記録した第２の番組データを前記移動型の受信装置に自動的に転送すると共に記録した第２の番組データを削除し、また、前記転送した第２の番組データと同一の番組の第１の番組データの再生終了および削除の管理情報を前記移動型の受信装置に送信し、更に、転送した第２の番組データと同一の番組の第１の番組データの再生終了の管理情報の送信に応答して前記移動型の受信装置から送られてくる前記第２の番組データを記録し、前記移動型の受信装置は、前記番組録画装置から転送された前記第２の番組データを記録し、前記番組記録装置から記録した前記第２の番組データと同一の番組の第１の番組データの再生終了の管理情報が送信されてきた場合には記録した前記第２の番組データを前記番組装置に送信し、記録した第２の番組データの再生終了および削除の管理情報を当該番組録画装置に送信することを特徴とする。
【発明の効果】
【００２０】
本発明によれば、携帯端末装置などの移動型の受信装置における電力消費および記録容量制限の問題を解消するとともに、受信して記録した番組データを移動型の受信装置にスイッチ操作を要することなく転送することを可能とし、さらに、コピーワンスの著作権保護を遵守するという効果が得られる。
【発明を実施するための最良の形態】
【００２１】
以下、本発明による番組録画装置、移動型の受信装置、およびこれらの装置間におけるデータ管理方法の第１実施形態、第２実施形態、および第３実施形態について、図１ないし図１７、図１８，および図１９をそれぞれ参照して詳細に説明する。なお、日本のＡＲＩＢ（Association of Radio Industries and Businesses 電波産業会）の規格においては、高精細・高画質のＨＤＴＶは、特許文献３に記載されているように、１３セグメントのうち１２セグメントを割り当てる構成になっているが、一般的には「１３セグメント放送」と呼称されているので、第１実施形態においても１３セグメントの用語を採用する。
【００２２】
また、第１実施形態ないし第３実施形態に共通する内容については、重複した説明および冗長な説明を避けるために、共通の用語又は第１実施形態ないし第３実施形態の上位概念の用語を用いるものとする。例えば、屋内に設置された固定受信機（「据え置き型受信機」とも称する）用の高画質のデジタル放送は、第１実施形態においては１３セグメントのデジタル放送であり、第２実施形態においては周波数ｆ１帯域のデジタル放送である。また、携帯電話装置、ＰＤＡ（Personal Digital Assistants 携帯情報端末）、カーナビゲーション装置などの移動受信機用の低画質のデジタル放送は、第１実施形態においては１セグメントのデジタル放送であり、第２実施形態においては周波数ｆ２帯域のデジタル放送である。ただし「低画質」の用語は、画質が悪いという意味ではなく、大きな表示画面を有する固定受信機用の画素数が多い１フレームの「高画質」に対して、小さな表示画面を有する移動受信機用の画素数が少ない１フレームを便宜上「低画質」と定義している。
【００２３】
図１は、第１実施形態における番組録画装置の構成を示すブロック図である。この番組録画装置は、地上波デジタル放送における１３セグメントのデジタル放送および１セグメントのデジタル放送の電波をアンテナＡＴから受信する。１３セグメントのチューナ１０１は、アンテナＡＴから得られる１３セグメントの電波の中で、設定チャンネルに基づく受信信号を選択する。１セグメントのチューナ１０２は、アンテナＡＴから得られる１セグメントの電波の中で、１３セグメントと同じ設定チャンネルに基づく受信信号を選択する。ＯＦＤＭ（Orthogonal Frequency Division Multiplexing）復調回路１０３は、チューナ１０１によって選択された１３セグメントの受信信号を復調する。ＯＦＤＭ復調回路１０４は、チューナ１０２によって選択された１セグメントの受信信号を復調する。１３セグメント用の復号回路１０５は、ＯＦＤＭ復調回路１０３によって復調された受信信号を映像データおよび音声データを含む１３セグメントの番組データに復号化する。１セグメント用の復号回路１０６は、ＯＦＤＭ復調回路１０４によって復調された受信信号を映像データおよび音声データを含む１セグメントの番組データに復号化する。入出力部１０７は、復号回路１０５によって復号化された１３セグメントの番組データの映像を表示部１１２に表示する。また、入出力部１０７は、復号回路１０６によって復号化された１セグメントの番組データをBluetooth無線の伝送経路に出力して、後述する携帯電話装置に転送する。
【００２４】
ＣＰＵ１１０は、システムバスを介して、上記したチューナ１０１、１０２、ＯＦＤＭ復調回路１０３、１０４、復号回路１０５、１０６、入出力部１０７に接続されているとともに、スイッチ部１０８、メモリ部１０９、および記録部１１１に接続されている。ＣＰＵ１１０は、スイッチ部１０８の操作に応じて、メモリ部１０９に格納されている制御プログラムを実行し、処理するデータをメモリ部１０９に一時的にストアして、この番組録画装置を制御する。記録部１１１は、例えば、ハードディスク装置で構成され、ＯＦＤＭ復調回路１０３によって復調された１３セグメントの番組データ、および、ＯＦＤＭ復調回路１０４によって復調された１セグメントの番組データ、すなわち、符号化された番組データを記録する。以下、記録された番組データを「録画データ」という。記録部１１１に記録された１３セグメントの録画データは、復号回路１０５で復号化されて、入出力部１０７から表示部１１２に出力される。これに対して、記録部１１１に記録された１セグメントの録画データは、復号回路１０６で復号化されて、入出力部１０７からBluetooth無線の伝送経路に出力される。
【００２５】
図２は、移動型の受信装置の実施形態としての携帯電話装置の構成を示すブロック図である。この携帯電話装置は、電話やメールの信号を送受信するアンテナＡＴ１を備えている。ＲＦブロック２０１は、アンテナＡＴ１によって送受信される信号の周波数変換や変復調等を行う。ＣＰＵ２０５は、携帯電話装置全体を制御するプログラムを実行する。ＲＯＭ２０６は、ＣＰＵ２０５によって実行されるプログラムおよび初期データを格納している。ＲＡＭ２０７は、ＣＰＵ２０５によって処理されるデータを一時的にストアするワークエリアである。メイン表示部２０８およびサブ表示部２０９は、表示ドライバ２１０によって駆動され、ＣＰＵ２０５の処理によって画像データを表示する。マイク２１１は音声を入力し、スピーカ２１２およびイヤホンジャック２１３に接続されたイヤホン（図示せず）は音声を出力する。スイッチ部２１４は、ユーザの操作に応じて指令やデータを入力する。通信インタフェース２１６は、図１の番組録画装置から転送されるBluetooth無線の１セグメントの録画データを受信する。外部メモリインタフェース２１５は、通信インタフェース２１６によって受信された録画データを外部メモリ（図示せず）に書き込み、スイッチ部２１４からの再生指令に応じて外部メモリの録画データを読み出して、ＣＰＵ２０５によって再生処理させ、メイン表示部２０８に表示させる。
【００２６】
図３は、地上波デジタル放送を記録した録画データの構成を示している。図３（Ａ）は、番組録画装置の記録部１１１に記録された録画データであり、番組名、貸出し中フラグ、視聴済フラグ、プロテクトフラグ、固定受信機用の高画質の１３セグメントの録画データ本体、移動受信機用の低画質の１セグメントの録画データ本体、および録画時間で構成される。図３（Ｂ）は、携帯電話装置に装着された外部メモリに記憶された録画データであり、番組名、視聴済フラグ、プロテクトフラグ、移動受信機用の録画データ本体、および録画時間で構成される。
【００２７】
次に、実施形態の動作について、番組録画装置のＣＰＵ１１０によって実行される図４ないし図１２のフローチャート、および、携帯電話装置のＣＰＵ２０５によって実行される図１３ないし図１７のフローチャートに基づいて説明する。
図４のフローチャートにおいて、ＣＰＵ１１０は、イニシャライズ（ステップＳＡ１）の後、レジスタＣＨ内のチャンネル番号をＴＶチューナ（１３セグメントのチューナ１０１、１セグメントのチューナ１０２）に送付する（ステップＳＡ２）。次に、ＣＰＵ１１０は、チャンネル変更操作がされたか否かを判別し（ステップＳＡ３）、チャンネル変更操作がされたときは、レジスタＣＨにその変更されたチャンネル番号をストアする（ステップＳＡ４）。
【００２８】
チャンネル変更操作がされない場合には、ＣＰＵ１１０は、録画スイッチがオンされたか否かを判別し（ステップＳＡ５）、このスイッチがオンされたときは、録画データのリスト表示フラグＬＩＳＴＦが０（リスト非表示）で且つ再生フラグＰＬＡＹＦが０（再生停止状態）であるか否かを判別する（ステップＳＡ６）。ＬＩＳＴＦが１（リスト表示中）又はＰＬＡＹＦが１（再生状態）である場合には、ＣＰＵ１１０は、ステップＳＡ３に移行して、他のスイッチのオン・オフを検索する。ＬＩＳＴＦおよびＰＬＡＹＦが０である場合には、メモリすなわち記録部１１１の空きエリアを確保する（ステップＳＡ７）。ＣＰＵ１１０は、確保したエリア内の貸出し中フラグのエリアに０をストアし（ステップＳＡ８）、エリア内の視聴済フラグのエリアに０をストアする（ステップＳＡ９）。次に、ＣＰＵ１１０は、録画時間カウントをスタートし（ステップＳＡ１０）、録画フラグＲＥＣＦを１（録画状態）にセットする（ステップＳＡ１１）。
【００２９】
ステップＳＡ３においてチャンネル変更操作がされず、ステップＳＡ５において録画スイッチがオンでない場合には、ＣＰＵ１１０は、他のスイッチのオン・オフを検索する。すなわち、図５のフローチャートにおいて、ＣＰＵ１１０は、リスト表示スイッチがオンされたか否かを判別し（ステップＳＡ１２）、このスイッチがオンされたときは、ＲＥＣＦが０（録音停止状態）およびＰＬＡＹＦが０であるか否かを判別する（ステップＳＡ１３）。ＲＥＣＦが１又はＰＬＡＹＦが１である場合には、ＣＰＵ１１０は、ステップＳＡ３に移行して、他のスイッチのオン・オフを検索する。ＲＥＣＦおよびＰＬＡＹＦが０である場合には、ＣＰＵ１１０は、再生リスト画面を表示する（ステップＳＡ１４）。
【００３０】
図１２は、再生リスト画面表示処理のフローチャートである。ＣＰＵ１１０は、まず、メモリの録画データを読み出して（ステップＳＢ１）、読み出した録画データに録画データ本体があるか否かを判別する（ステップＳＢ２）。録画データ本体がある場合には、ＣＰＵ１１０は、その番組名を表示し（ステップＳＢ３）、視聴済フラグが１（視聴済）であるか否かを判別し（ステップＳＢ４）、このフラグが１である場合には、視聴済を明示するために番組名の表示色を異ならせる（ステップＳＢ５）。次に、ＣＰＵ１１０は、プロテクトフラグが１（削除禁止）であるか否かを判別し（ステップＳＢ６）、このフラグが１である場合には、削除禁止を明示するためにプロテクトマークを番組名に付加する（ステップＳＢ７）。このような表示処理の後、又は、ステップＳＢ２において録画データ本体がない場合には、ＣＰＵ１１０は、メモリを検索して別の録画データが存在するか否かを判別する（ステップＳＢ８）。別の録画データが存在する場合には、ＣＰＵ１１０は、ステップＳＢ１に移行して、その録画データを読み出して上記の処理を繰り返す。別の録画データが存在しない場合には、ＣＰＵ１１０は、図５のフローチャートに戻り、ＬＩＳＴＦを１（リスト表示状態）にセットする（ステップＳＡ１５）。次に、ＣＰＵ１１０は、表示されたリストにおいて、ひとつの番組名を反転表示などによって強調して表示する（ステップＳＡ１６）。この後、ＣＰＵ１１０は、図４のステップＳＡ３に移行して、他のスイッチのオン・オフを検索する。
【００３１】
図５のステップＳＡ１２において、リスト表示スイッチがオンでない場合には、ＣＰＵ１１０は、カーソルスイッチがオンされたか否かを判別し（ステップＳＡ１７）、このスイッチがオンされたときは、ＬＩＳＴＦが１であるか否かを判別する（ステップＳＡ１８）。このフラグが１でリストが表示されている場合には、ＣＰＵ１１０は、強調表示の位置を移動する（ステップＳＡ１９）。すなわち、ＣＰＵ１１０は、指定する番組名を変更する。ＣＰＵ１１０は、図４のステップＳＡ３に移行して、他のスイッチのオン・オフを検索する。
【００３２】
ステップＳＡ１７において、カーソルスイッチがオンでない場合、又は、ステップＳＡ１８において、ＬＩＳＴＦが０である場合には、ＣＰＵ１１０は、再生スイッチがオンされたか否かを判別し（ステップＳＡ２０）、このスイッチがオンされたときは、ＬＩＳＴＦが１であるか否かを判別する（ステップＳＡ２１）。このフラグが１である場合には、ＣＰＵ１１０は、ＬＩＳＴＦを０にリセットし（ステップＳＡ２２）、ＰＬＡＹＦを１にセットする（ステップＳＡ２３）。次に、ＣＰＵ１１０は、再生時間カウントをスタートし（ステップＳＡ２４）、メモリから強調表示されている番組名の固定受信機用の録画データの読み出しを開始する（ステップＳＡ２５）。次に、ＣＰＵ１１０は、読み出した録画データで再生処理を行う（ステップＳＡ２６）。この後は、ＣＰＵ１１０は、図４のステップＳＡ３に移行して、他のスイッチのオン・オフを検索する。
【００３３】
ステップＳＡ２０において、再生スイッチがオンでない場合、又は、ステップＳＡ２１において、ＬＩＳＴＦが０である場合には、ＣＰＵ１１０は、図６のフローチャートにおいて、削除スイッチがオンされたか否かを判別し（ステップＳＡ２７）、このスイッチがオンされたときは、ＬＩＳＴＦが１であるか否かを判別する（ステップＳＡ２８）。このフラグが０で番組名のリストが表示されていない場合には、ＣＰＵ１１０は、図４のステップＳＡ３に移行して、他のスイッチのオン・オフを検索するが、このフラグが１の場合には、メモリ内の録画データの中で強調表示されている番組名のデータのプロテクトフラグを見る（ステップＳＡ２９）。次に、ＣＰＵ１１０は、プロテクトフラグが０であるか否かを判別する（ステップＳＡ３０）。このフラグが１の場合には削除できないので、ＣＰＵ１１０は、図４のステップＳＡ３に移行して、他のスイッチのオン・オフを検索するが、このフラグが０である場合には、録画データ本体のみを削除する（ステップＳＡ３１）。この後は、ＣＰＵ１１０は、図４のステップＳＡ３に移行して、他のスイッチのオン・オフを検索する。
【００３４】
ステップＳＡ２７において、削除スイッチがオンでない場合には、ＣＰＵ１１０は、プロテクトスイッチがオンであるか否かを判別し（ステップＳＡ３２）、このスイッチがオンされたときは、ＬＩＳＴＦが１であるか否かを判別する（ステップＳＡ３３）。このフラグが０で番組名のリストが表示されていない場合には、ＣＰＵ１１０は、図４のステップＳＡ３に移行して、他のスイッチのオン・オフを検索するが、このフラグが１の場合には、メモリ内の録画データの中で強調表示されている番組名のデータのプロテクトフラグのエリアを１（削除禁止）にする（ステップＳＡ３４）。この後、ＣＰＵ１１０は、図４のステップＳＡ３に移行して、他のスイッチのオン・オフを検索する。
【００３５】
ステップＳＡ３２において、プロテクトスイッチがオンでない場合には、ＣＰＵ１１０は、プロテクト解除スイッチがオンであるか否かを判別し（ステップＳＡ３５）、このスイッチがオンされたときは、ＬＩＳＴＦが１であるか否かを判別する（ステップＳＡ３６）。このフラグが０で番組名のリストが表示されていない場合には、ＣＰＵ１１０は、図４のステップＳＡ３に移行して、他のスイッチのオン・オフを検索するが、このフラグが１の場合には、メモリ内の録画データの中で強調表示されている番組名のデータのプロテクトフラグのエリアを０（削除可能）にする（ステップＳＡ３７）。この後、ＣＰＵ１１０は、図４のステップＳＡ３に移行して、他のスイッチのオン・オフを検索する。
【００３６】
ステップＳＡ３５において、プロテクト解除スイッチがオンでない場合には、ＣＰＵ１１０は、図７のフローチャートにおいて、ストップスイッチがオンされたか否かを判別し（ステップＳＡ３８）、このスイッチがオンされたときは、ＲＥＣＦ、ＰＬＡＹＦ、ＬＩＳＴＦの状態を検索する。次に、ＣＰＵ１１０は、ＲＥＣＦが１（録画状態）であるか否かを判別し（ステップＳＡ３９）、このフラグが１である場合には、ストップスイッチのオン操作は録画停止の指令であるので、ＯＦＤＭ復調回路からの受信データの書き込みを停止する（ステップＳＡ４０）。次に、ＣＰＵ１１０は、録画時間カウンタの内容をメモリの録画時間カウントエリアにストアして（ステップＳＡ４１）、録画時間カウントを停止する（ステップＳＡ４２）。この後、ＣＰＵ１１０は、ＲＥＣＦを０にリセットし（ステップＳＡ４３）、ユーザの操作に応じて又は自動的に付与された番組名を入力し（ステップＳＡ４４）、入力された番組名をメモリ内の番組名エリアにストアする（ステップＳＡ４５）。この後、ＣＰＵ１１０は、図４のステップＳＡ３に移行して、他のスイッチのオン・オフを検索する。
【００３７】
ステップＳＡ３９において、ＲＥＣＦが０である場合には、ＣＰＵ１１０は、ＰＬＡＹＦが１（再生状態）であるか否かを判別し（ステップＳＡ４６）、このフラグが１である場合には、ストップスイッチのオン操作は再生停止の指令であるので、メモリからの録画データの読み出しを停止する（ステップＳＡ４７）。次に、ＣＰＵ１１０は、再生時間カウントを停止し、カウント値をクリアする（ステップＳＡ４８）。次に、ＣＰＵ１１０は、ＰＬＡＹＦを０にリセットする（ステップＳＡ４９）。この後は、ＣＰＵ１１０は、図５のステップＳＡ１３に移行して、ＲＥＣＦおよびＰＬＡＹＦの状態を検索する。
【００３８】
ステップＳＡ４６において、ＰＬＡＹＦが０である場合には、ＣＰＵ１１０は、ＬＩＳＴＦが１（リスト表示状態）であるか否かを判別し（ステップＳＡ５０）、このフラグが０である場合には、図４のステップＳＡ３に移行して、他のスイッチのオン・オフを検索するが、このフラグが１である場合には、ストップスイッチのオン操作はリスト画面消去の指令であるので、再生リスト画面の表示を消去する（ステップＳＡ５１）。次に、ＣＰＵ１１０は、ＬＩＳＴＦを０にリセットする（ステップＳＡ５２）。この後は、ＣＰＵ１１０は、図４のステップＳＡ３に移行して、他のスイッチのオン・オフを検索する。
【００３９】
図７のステップＳＡ３８において、ストップスイッチがオンでない場合には、ＣＰＵ１１０は、図８のフローチャートにおいて、携帯電話装置とBluetooth無線による接続を検出したか否かを判別する（ステップＳＡ５３）。接続を検出したとき、すなわち、携帯電話装置から回線接続要求のアクセスがあったときは、ＣＰＵ１１０は、ＲＥＣＦ、ＰＬＡＹＦ、およびＬＩＳＴＦの全てが０であるか否かを判別する（ステップＳＡ５４）。この３つのフラグが０で、録画状態、再生状態、およびリスト表示状態のいずれでもない場合には、ＣＰＵ１１０は、ＣＯＮＮＥＣＴＦを１（接続状態）にセットする（ステップＳＡ５５）。さらに、ＣＰＵ１１０は、データ出力フラグＯＵＴＦを１（出力状態）にセットし（ステップＳＡ５６）、データ入力フラグＩＮＦを０にリセットする（ステップＳＡ５７）。この後、又は、ステップＳＡ５４において、ＲＥＣＦ、ＰＬＡＹＦ、又はＬＩＳＴＦが１である場合には、ＣＰＵ１１０は、図４のステップＳＡ３に移行して、他のスイッチのオン・オフを検索する。
【００４０】
ステップＳＡ５３において、接続を検出しない場合には、ＣＰＵ１１０は、ＣＯＮＮＥＣＴＦが１であるか否かを判別し（ステップＳＡ５８）、ＣＯＮＮＥＣＴＦが１である場合には、非接続（携帯電話装置との間でBluetooth無線の回線切断）を検出したか否かを判別する（ステップＳＡ５９）。非接続を検出したときは、ＣＰＵ１１０は、ＣＯＮＮＥＣＴＦを０にリセットし（ステップＳＡ６０）、ＯＵＴＦおよびＩＮＦをともに０にリセットする（ステップＳＡ６１）。この後、ＣＰＵ１１０は、図４のステップＳＡ３に移行して、他のスイッチのオン・オフを検索する。
【００４１】
ステップＳＡ５９において、非接続を検出しない場合、すなわち、携帯電話装置との間でBluetooth無線の回線が確立している場合には、ＣＰＵ１１０は、図９のフローチャートにおいて、ＯＵＴＦが１であるか否かを判別し（ステップＳＡ６２）、このフラグが１である場合には、転送開始のコマンドを携帯電話装置に送付する（ステップＳＡ６３）。次に、ＣＰＵ１１０は、メモリ内の録画データを読み出して（ステップＳＡ６４）、読み出した録画データの内容を検索して、視聴済フラグが０であるか否かを判別する（ステップＳＡ６５）。このフラグが０である場合には、ＣＰＵ１１０は、貸出し中フラグが０であるか否かを判別し（ステップＳＡ６６）、このフラグが０である場合には、１３セグメントおよび１セグメントの録画データ本体があるか否かを判別する（ステップＳＡ６７）。録画データ本体がある場合には、ＣＰＵ１１０は、移動受信機用の録画データの本体、番組名、視聴済フラグ、録画時間を携帯電話装置に送付する（ステップＳＡ６８）。次に、ＣＰＵ１１０は、メモリ内の移動受信機用の１セグメントの録画データ本体のみを消去し（ステップＳＡ６９）、貸出し中フラグを１にセットする（ステップＳＡ７０）。したがって、移動受信機用の録画データ本体はコピーされず、番組録画装置から携帯電話装置に移動されるので、「コピーワンス」の著作権の保護が遵守されることになる。
【００４２】
ステップＳＡ６７において、固定受信機用および移動受信機用の録画データ本体がない場合には、ＣＰＵ１１０は、プロテクトフラグが０であるか否かを判別する（ステップＳＡ７１）。このフラグが０である場合には、移動受信機用の録画データ本体が既に携帯電話装置に転送されているとともに、固定受信機用の１３セグメントの録画データ本体がユーザの削除操作で消去されている場合である。この場合には、ＣＰＵ１１０は、携帯電話装置に転送されている移動受信機用の１セグメントの録画データも必要ないので、携帯電話装置に対して削除コマンドおよび番組名を転送する（ステップＳＡ７２）。
【００４３】
ＣＰＵ１１０は、移動受信機用の録画データを携帯電話装置に転送して、ステップＳＡ７０において貸出し中フラグを１にセットした後、若しくは、ステップＳＡ７２において携帯電話装置に対して削除コマンドおよび番組名を転送した後、又は、ステップＳＡ６５において視聴済フラグが１（視聴済）である場合、ステップＳＡ６６において貸出し中フラグが１（貸出し中）である場合、若しくはステップＳＡ７１においてプロテクトフラグが１（削除禁止）である場合には、メモリ内に別の録画データがないか否かを判別する（ステップＳＡ７３）。別の録画データがある場合には、ＣＰＵ１１０は、ステップＳＡ６４に移行して、その録画データを読み出し、上記の処理を繰り返す。メモリ内に別の録画データがない場合には、ＣＰＵ１１０は、ＯＵＴＦを０にリセットし（ステップＳＡ）、ＩＮＦを１にセットし（ステップＳＡ）、転送終了のコマンドを携帯電話装置に送付する（ステップＳＡ７６）。この後、ＣＰＵ１１０は、図４のステップＳＡ３に移行して、他のスイッチのオン・オフを検索する。
【００４４】
ステップＳＡ６２において、ＯＵＴＦが０である場合には、ＣＰＵ１１０は、図１０のフローチャートにおいて、ＩＮＦが１であるか否かを判別し（ステップＳＡ７７）、このフラグが１である場合には、携帯電話装置に対して転送依頼のコマンドを送付する（ステップＳＡ７８）。次に、ＣＰＵ１１０は、携帯電話装置から録画データを受信したか否かを判別し（ステップＳＡ７９）、受信したときは、その中に録画データ本体があるか否かを判別する（ステップＳＡ８０）。録画データ本体がある場合には、ＣＰＵ１１０は、メモリ内の対応する番組名の録画データ内の移動受信機用の録画データ本体のエリアに戻す（ステップＳＡ８１）。次に、ＣＰＵ１１０は、貸出し中フラグを０にリセットし（ステップＳＡ８２）、視聴済フラグを１にセットする（ステップＳＡ８３）。この後、ＣＰＵ１１０は、ステップＳＡ７９に移行して、別の録画データの受信を待つ。
【００４５】
ステップＳＡ８０において、受信した録画データの中に録画データ本体がない場合には、その録画データ本体が携帯電話装置においてユーザの削除操作によって消去された場合である。この場合には、ＣＰＵ１１０は、メモリ内の対応する番組名の録画データのプロテクトフラグを見る（ステップＳＡ８４）。ＣＰＵ１１０は、プロテクトフラグが０であるか否かを判別し（ステップＳＡ８５）、このフラグが０である場合には、同じ番組名の固定受信機用の１３セグメントの録画データ本体のみを削除する（ステップＳＡ８６）。削除した後、又は、プロテクトフラグが１（削除禁止）の場合には、ＣＰＵ１１０は、貸出し中フラグを０にリセットし（ステップＳＡ８２）、視聴済フラグを１にセットする（ステップＳＡ８３）。この後、ＣＰＵ１１０は、ステップＳＡ７９に移行して、別の録画データの受信を待つ。
ステップＳＡ７９において、録画データを受信しない場合には、ＣＰＵ１１０は、転送終了のコマンドを受信したか否かを判別する（ステップＳＡ８７）。転送終了のコマンドを受信したときは、ＣＰＵ１１０は、ＩＮＦを０にリセットし（ステップＳＡ８８）、携帯電話装置の回線切断処理に応じてＣＯＮＮＥＣＴＦを０にリセットする（ステップＳＡ８９）。この後、ＣＰＵ１１０は、図４のステップＳＡ３に移行して、他のスイッチのオン・オフを検索する。
【００４６】
ステップＳＡ８７において、転送終了のコマンドを受信しない場合には、ＣＰＵ１１０は、図１１のフローチャートにおいて、ＲＥＣＦが１（録画状態）であるか否かを判別し（ステップＳＡ９０）、このフラグが１である場合には、一定時間が経過したか否かを判別する（ステップＳＡ９１）。一定時間が経過したときは、ＣＰＵ１１０は、録画時間カウンタをインクリメントする（ステップＳＡ９２）。録画時間カウンタをインクリメントした後、又は、一定時間が経過していない場合には、ＣＰＵ１１０は、ＯＦＤＭ復調回路１０３および１０４からの固定受信機用および移動受信機用の番組データをメモリに書き込む（ステップＳＡ９３）。この後、ＣＰＵ１１０は、図４のステップＳＡ３に移行して、他のスイッチのオン・オフを検索する。
【００４７】
ステップＳＡ９０において、ＲＥＣＦが０である場合には、ＣＰＵ１１０は、ＰＬＡＹＦが１（再生状態）であるか否かを判別し（ステップＳＡ９４）、このフラグが０の場合には、図４のステップＳＡ３に移行して、他のスイッチのオン・オフを検索するが、このフラグが１である場合には、一定時間が経過したか否かを判別する（ステップＳＡ９５）。一定時間が経過したときは、ＣＰＵ１１０は、再生時間カウンタをインクリメントする（ステップＳＡ９６）。ただし、早送り再生が操作されたときは、早送り再生速度と通常再生速度との速度比に応じて一定時間の値が変化する。例えば、早送り再生速度が通常再生速度の１０倍である場合には、通常再生時の一定時間Ｔに対して早送り再生時の一定時間はＴ／１０となる。
【００４８】
再生時間カウンタをインクリメントした後、又は、一定時間が経過していない場合には、ＣＰＵ１１０は、メモリから固定受信機用の録画データを読み出す（ステップＳＡ９７）。次に、ＣＰＵ１１０は、読み出したデータで再生処理を行う（ステップＳＡ９８）。すなわち、ＣＰＵ１１０は、読み出した固定受信機用の１３セグメントの録画データ本体を１３セグメント用の復号回路１０５に送出して、復号化された録画データ本体を入出力部１０７から表示部１１２に出力する。ＣＰＵ１１０は、再生時間が録画時間の９０％を超えたか否かを判別し（ステップＳＡ９９）、再生時間が録画時間の９０％を超えたときは、視聴済フラグを１にセットする（ステップＳＡ１００）。次に、ＣＰＵ１１０は、再生時間が録画時間に達したか否かを判別し（ステップＳＡ１０１）、再生時間が録画時間に達したときは、メモリからの録画データの読み出しを中止する（ステップＳＡ１０２）。次に、ＣＰＵ１１０は、ＰＬＡＹＦを０にリセットする（ステップＳＡ１０３）。ステップＳＡ１０１において再生時間が録画時間に達していない場合、又は、ＰＬＡＹＦを０にリセットした後は、ＣＰＵ１１０は、図４のステップＳＡ３に移行して、他のスイッチのオン・オフを検索する。
【００４９】
次に、携帯電話装置の動作について説明する。
図１３において、ＣＰＵ２０５は、所定のイニシャライズ（ステップＳＣ１）の後、番組録画装置との通信状態、各フラグの判定、スイッチのオン・オフに応じて、図１３ないし図１７におけるループ処理を実行する。まず、ＣＰＵ２０５は、番組録画装置とBluetooth無線による接続を検出したか否かを判別し（ステップＳＣ２）、接続を検出したとき、すなわち、回線接続要求のアクセスに対して番組録画装置から応答があったときは、ＰＬＡＹＦおよびＬＩＳＴＦが０であるか否かを判別する（ステップＳＣ３）。これら２つのフラグが０で、再生状態およびリスト表示状態のいずれでもない場合には、ＣＰＵ２０５は、ＣＯＮＮＥＣＴＦを１（接続状態）にセットする（ステップＳＣ４）。
ステップＳＣ２において、番組録画装置との間で接続を検出しない場合には、ＣＰＵ２０５は、ＣＯＮＮＥＣＴＦが１であるか否かを判別し（ステップＳＣ５）、ＣＯＮＮＥＣＴＦが１である場合には、非接続（番組録画装置との間でBluetooth無線の回線切断）を検出したか否かを判別する（ステップＳＣ６）。非接続を検出したときは、ＣＰＵ２０５は、ＣＯＮＮＥＣＴＦを０にリセットする（ステップＳＣ７）。
【００５０】
ステップＳＡ６において非接続を検出しない場合、すなわち、番組録画装置と通信中である場合には、ＣＰＵ２０５は、図１４のフローチャートにおいて、番組録画装置からのコマンドの受信の有無を分析する。次に、ＣＰＵ２０５は、転送開始のコマンドを受信したか否かを判別し（ステップＳＣ８）、このコマンドを受信したときはＩＮＦを１にセットする（ステップＳＣ９）。転送開始のコマンドを受信しない場合には、ＣＰＵ２０５は、転送終了のコマンドを受信したか否かを判別し（ステップＳＣ１０）、このコマンドを受信したときはＩＮＦを０にリセットする（ステップＳＣ１１）。転送終了のコマンドを受信しない場合には、ＣＰＵ２０５は、転送依頼のコマンドを受信したか否かを判別し（ステップＳＣ１２）、このコマンドを受信したときはＯＵＴＦを１にセットする（ステップＳＣ１３）。これらのフラグ処理の後は、ＣＰＵ２０５は、ループ処理を続行する。
【００５１】
番組録画装置からコマンドを受信しない場合、又は、コマンドを受信した後は、ＣＰＵ２０５は、各フラグの内容を分析する。ＣＰＵ２０５は、ＩＮＦが１であるか否かを判別し（ステップＳＣ１４）、このフラグが１である場合には、番組録画装置からデータを受信したか否かを判別する（ステップＳＣ１５）。データを受信したときは、ＣＰＵ２０５は、そのデータに録画データ本体があるか否かを判別する（ステップＳＣ１６）。録画データ本体がある場合には、ＣＰＵ２０５は、受信した番組名、１セグメントの録画データ本体、録画時間を外部メモリインタフェース２１５によって外部メモリにストアする（ステップＳＣ１７）。次に、ＣＰＵ２０５は、視聴済フラグを０にリセットし（ステップＳＣ１８）、プロテクトフラグを０にリセットする（ステップＳＣ１９）。これらのフラグをリセットした後、又は、ステップＳＣ１５においてデータを受信しない場合には、ＣＰＵ２０５は、ループ処理を続行する。
【００５２】
ステップＳＣ１６において録画データ本体を受信しない場合は、ＣＰＵ２０５は、受信した番組名のデータに削除コマンドを含むか否かを判別する（ステップＳＣ２０）。削除コマンドを含む場合には、ＣＰＵ２０５は、受信した番組名の録画データをさがす（ステップＳＣ２１）。ＣＰＵ２０５は、その録画データのプロテクトフラグが０であるか否かを判別し（ステップＳＣ２２）、このフラグが０である場合には、録画データ本体を外部メモリから削除する（ステップＳＣ２３）。削除した後、若しくはプロテクトフラグが１で録画データ本体を外部メモリから削除しない場合、又は、受信したデータに削除コマンドを含まない場合には、ＣＰＵ２０５は、ループ処理を続行する。
【００５３】
ステップＳＣ１４において、ＩＮＦが０である場合には、ＣＰＵ２０５は、図１５のフローチャートにおいて、ＯＵＴＦが１であるか否かを判別し（ステップＳＣ２４）、このフラグが１である場合には、外部メモリにストアされている録画データを指定する（ステップＳＣ２５）。ＣＰＵ２０５は、その録画データにおいて、視聴済フラグが１であるか否かを判別し（ステップＳＣ２６）、このフラグが１である場合には、プロテクトフラグが０であるか否かを判別する（ステップＳＣ２７）。このフラグが０である場合には、ＣＰＵ２０５は、その録画データの中に録画データ本体があるか否かを判別する（ステップＳＣ２８）。録画データ本体がある場合には、ＣＰＵ２０５は、番組名、１セグメントの録画データ本体を番組録画装置に転送し（ステップＳＣ２９）、外部メモリの録画データを削除する（ステップＳＣ３０）。すなわち、ＣＰＵ２０５は、視聴済の録画データで削除禁止でないものは、携帯電話装置から番組録画装置に転送する。ステップＳＣ２８において録画データの中に録画データ本体がない場合、すなわち、外部メモリの録画データ本体がユーザの削除操作で既に削除されている場合には、ＣＰＵ２０５は、番組名、削除コマンドを番組録画装置に送付する（ステップＳＣ３１）。
【００５４】
ＣＰＵ２０５は、ステップＳＣ２６において視聴済フラグが０である場合、ステップＳＣ２７においてプロテクトフラグが１である場合、ステップＳＣ３０において録画データを削除した後、又は、ステップＳＣ３１において番組名、削除コマンドを番組録画装置に送付した後は、外部メモリの他のエリアを検索して別の録画データがあるかないかを判別する（ステップＳＣ３２）。別の録画データがある場合には、ＣＰＵ２０５は、ステップＳＣ２５に移行して、その録画データを指定し、上記の処理を繰り返す。別の録画データがない場合には、ＣＰＵ２０５は、転送終了のコマンドを番組録画装置に送付し（ステップＳＣ３３）、ＯＵＴＦを０にリセットする（ステップＳＣ３４）。このフラグをリセットした後、又は、ステップＳＣ２４においてこのフラグが０である場合には、ＣＰＵ２０５は、ループ処理を続行する。
【００５５】
図１３のステップＳＣ５において、ＣＯＮＮＥＣＴＦが０である場合、すなわち、携帯電話装置が番組録画装置に接続されていない場合には、ＣＰＵ２０５は、スイッチ部２１４の状態を検索して、各スイッチの操作に応じたスイッチ処理を実行するが、このスイッチ処理は番組録画装置におけるスイッチ処理と同じであるので、重複する詳細な説明は省略し、概略の動作を説明する。
【００５６】
図１６のフローチャートにおいて、ＣＰＵ２０５は、リスト表示スイッチがオンされたか否かを判別し（ステップＳＣ３５）、このスイッチがオンされたときはリスト処理を実行する（ステップＳＣ３６）。リスト表示スイッチがオンでない場合には、ＣＰＵ２０５は、カーソルスイッチがオンされたか否かを判別し（ステップＳＣ３７）、このスイッチがオンされたときはカーソル移動処理を実行する（ステップＳＣ３８）。カーソルスイッチがオンでない場合には、ＣＰＵ２０５は、再生スイッチがオンされたか否かを判別し（ステップＳＣ３９）、このスイッチがオンされたときは再生処理を実行する（ステップＳＣ４０）。再生スイッチがオンでない場合には、ＣＰＵ２０５は、削除スイッチがオンされたか否かを判別し（ステップＳＣ４１）、このスイッチがオンされたときは録画データの削除処理を実行する（ステップＳＣ４２）。
【００５７】
削除スイッチがオンでない場合には、ＣＰＵ２０５は、図１７のフローチャートにおいて、プロテクトスイッチがオンされたか否かを判別し（ステップＳＣ４３）、このスイッチがオンされたときはプロテクト処理を実行する（ステップＳＣ４４）。プロテクトスイッチがオンでない場合には、ＣＰＵ２０５は、プロテクト解除スイッチがオンされたか否かを判別し（ステップＳＣ４５）、このスイッチがオンされたときはプロテクト解除処理を実行する（ステップＳＣ４６）。プロテクトスイッチがオンでない場合には、ＣＰＵ２０５は、ストップスイッチがオンされたか否かを判別し（ステップＳＣ４７）、このスイッチがオンされたときは、再生状態の場合には再生停止処理を実行し、リスト表示状態の場合には再生リスト画面を消去する処理を実行する（ステップＳＣ４８）。ストップスイッチがオンでない場合には、ＣＰＵ２０５は、ＰＬＡＹＦが１であるか否かを判別し（ステップＳＣ４９）、このフラグが１の場合には再生処理を実行する（ステップＳＣ５０）。
上記の各スイッチ処理の後、いずれのスイッチもオンでなくＰＬＡＹＦが０で再生停止状態である場合、又は、録画データ本体の再生中である場合には、ＣＰＵ２０５は、図１３のステップＳＣ２に移行してループ処理を続行する。
【００５８】
以上のように、この実施形態によれば、番組録画装置は、同一の番組について固定型の受信装置に対して送信された高画質の固定受信機用の１３セグメントの地上波デジタル放送の番組データ、および、携帯電話装置に対して送信された低画質の移動受信機用の１セグメントの地上波デジタル放送の番組データを受信して、固定型の受信装置向けの１３セグメントの番組データおよび携帯電話装置向けの１セグメントの番組データを記録し、携帯電話装置が接続されたときは、記録した１セグメントの番組データをその携帯電話装置に自動的に転送し、その転送した第２の番組データと同一の番組の第１の番組データの再生終了および削除の管理情報をその携帯電話装置に送信する。
これに対して、携帯電話装置は、番組録画装置から転送された移動受信機用の１セグメントの番組データを記録して、記録した番組データの再生終了および削除の管理情報を番組録画装置に送信する。
したがって、携帯端末装置における電力消費および記録容量制限の問題を解消するとともに、受信して記録した番組データを移動型の受信装置にスイッチ操作を要することなく転送することを可能とし、さらに、コピーワンスの著作権保護を遵守することができる。
【００５９】
なお、上記第１実施形態においては、移動型の受信装置として携帯電話装置を例にとって本発明を説明したが、移動型の受信装置の構成としては携帯電話装置に限定されない。例えば、ＰＨＳ、ＰＤＡ、カーナビゲーション装置、通信機能を有するデジタルカメラ若しくはビデオカメラなどで構成することも可能である。
また、上記第１実施形態においては、番組録画装置と携帯電話装置とをBluetooth無線によって接続する構成にしたが、赤外線無線によって接続する構成、番組録画装置と携帯電話装置とを直接接続する構成、あるいは、ケーブルによって接続する構成も可能である。例えば、番組録画装置にクレードルを設けて、携帯電話装置を装着して直結する。あるいは、ＵＳＢケーブルを介して番組録画装置にクレードルを接続して、そのクレードルに携帯電話装置を装着する。
【００６０】
次に、本発明の第２実施形態に付いて説明する。
図１８は、第２実施形態における番組録画装置の構成を示すブロック図である。この番組録画装置は、固定受信機用の高画質の地上波デジタル放送および移動受信機用の低画質の地上波デジタル放送の電波をアンテナＡＴから受信する。ｆ１帯域のチューナ１１３は、アンテナＡＴから得られる周波数ｆ１帯域の地上波デジタル放送の中で、設定チャンネルに基づく受信信号を選択する。ｆ２帯域のチューナ１１４は、アンテナＡＴから得られる周波数ｆ２帯域の地上波デジタル放送の中で、周波数ｆ１帯域と同じ設定チャンネルに基づく受信信号を選択する。ＯＦＤＭ復調回路１０３は、チューナ１１３によって選択された受信信号を復調する。ＯＦＤＭ復調回路１０４は、チューナ１１４によって選択された受信信号を復調する。他の構成および機能については、図１に示した第１実施形態と同じであるので、説明は省略する。
【００６１】
また、地上波デジタル放送を記録した録画データの構成についても、固定受信機用の高画質の録画データ本体が、周波数ｆ１帯域の受信信号から復調および復号されたデータであり、移動受信機用の低画質の録画データ本体が、周波数ｆ１帯域の受信信号から復調および復号されたデータである点を除けば、図３に示した第１実施形態のものと同じであるので、図および説明は省略する。
【００６２】
さらに、図１８の番組録画装置の動作、および、図示しない移動受信機、例えば、携帯電話装置、ＰＤＡ、カーナビゲーション装置などの動作についても、固定受信機用の高画質の録画データ本体が、周波数ｆ１帯域の受信信号から復調および復号されたデータであり、移動受信機用の低画質の録画データ本体が、周波数ｆ２帯域の受信信号から復調および復号されたデータである点を除けば、図４ないし図１２に示した番組録画装置のフローチャート、および、図１３ないし図１７に示した携帯端末のフローチャートと同じであるので、図および説明は省略する。
【００６３】
次に、本発明の第３実施形態に付いて説明する。第３実施形態は、第１実施形態又は第２実施形態の変形例である。
図１９は、第３実施形態における番組録画装置の構成を示すブロック図である。この番組録画装置は、固定受信機用の高画質の地上波デジタル放送および移動受信機用の低画質の地上波デジタル放送の電波をアンテナＡＴから受信して、マルチチューナ１１５において、設定チャンネルに基づいて固定受信機用および移動受信機用の２系統の地上波デジタル放送の受信信号を選択する。地上波デジタル放送が第１実施形態のように１３セグメントで構成されている場合には、マルチチューナ１１５において１２セグメントの受信信号と１セグメントの受信信号とを分離して、それぞれＯＦＤＭ復調回路１０３および１０４に出力する。これに対して、地上波デジタル放送が第２実施形態のようにｆ１帯域とｆ２帯域で構成されている場合には、マルチチューナ１１５に周波数分離回路が必要になる。番組録画装置の他の構成要素および動作については、第１実施形態とほぼ同じである。
【００６４】
地上波デジタル放送が１３セグメントで構成されている場合でも、ｆ１帯域とｆ２帯域で構成されている場合でも、固定受信機用の受信信号はＯＦＤＭ復調回路１０３に出力され、移動受信機用の受信信号はＯＦＤＭ復調回路１０４に出力される。したがって、番組録画装置の動作については、第１実施形態とほぼ同じであるので、図および説明は省略する。
【００６５】
なお、上記各実施形態および添付した図面は、単に本発明の原理を示すためのものであり、本発明の精神および範囲を逸脱しない限り、これら各実施形態および図面から当業者が容易に想定できる他の様々な実施形態や変形例についても、本発明の原理に属するものである。
【図面の簡単な説明】
【００６６】
【図１】本発明の第１実施形態の番組録画装置の構成を示すブロック図。
【図２】本発明の第１実施形態の携帯電話装置の構成を示すブロック図。
【図３】第１実施形態の番組録画装置および携帯電話装置に記録された録画データを示す図。
【図４】図１のＣＰＵによって実行される番組録画装置のフローチャート。
【図５】図４に続く番組録画装置のフローチャート。
【図６】図５に続く番組録画装置のフローチャート。
【図７】図６に続く番組録画装置のフローチャート。
【図８】図７に続く番組録画装置のフローチャート。
【図９】図８に続く番組録画装置のフローチャート。
【図１０】図９に続く番組録画装置のフローチャート。
【図１１】図１０に続く番組録画装置のフローチャート。
【図１２】図５における再生リスト画面表示処理のフローチャート。
【図１３】図２のＣＰＵによって実行される携帯電話装置のフローチャート。
【図１４】図１３に続く携帯電話装置のフローチャート。
【図１５】図１４に続く携帯電話装置のフローチャート。
【図１６】図１５に続く携帯電話装置のフローチャート。
【図１７】図１６に続く携帯電話装置のフローチャート。
【図１８】本発明の第２実施形態の番組録画装置の構成を示すブロック図。
【図１９】本発明の第３実施形態の番組録画装置の構成を示すブロック図。
【符号の説明】
【００６７】
１０１  １３セグメントのチューナ
１０２  １セグメントのチューナ
１０３  １３セグメントＯＦＤＭ復調回路
１０４  １セグメントＯＦＤＭ復調回路
１０５  １３セグメント用復号回路
１０６  １セグメント用復号回路
１０７  入出力回路
１０８  スイッチ部
１０９  メモリ部
１１０  ＣＰＵ
１１１  記録部
１１２  表示部
１１３  周波数ｆ１帯域のチューナ
１１４  周波数ｆ２帯域のチューナ
１１５  マルチチューナ
２０１  ＲＦブロック
２０５  ＣＰＵ
２０６  ＲＯＭ
２０７  ＲＡＭ
２０８  メイン表示部
２１４  スイッチ部
２１５  外部メモリインタフェース
２１６  通信インタフェース
【図１】
0004779788.tif 000002
【図２】
0004779788.tif 000003
【図３】
0004779788.tif 000004
【図４】
0004779788.tif 000005
【図５】
0004779788.tif 000006
【図６】
0004779788.tif 000007
【図７】
0004779788.tif 000008
【図８】
0004779788.tif 000009
【図９】
0004779788.tif 000010
【図１０】
0004779788.tif 000011
【図１１】
0004779788.tif 000012
【図１２】
0004779788.tif 000013
【図１３】
0004779788.tif 000014
【図１４】
0004779788.tif 000015
【図１５】
0004779788.tif 000016
【図１６】
0004779788.tif 000017
【図１７】
0004779788.tif 000018
【図１８】
0004779788.tif 000019
【図１９】
0004779788.tif 000020